(57)【要約】【課題】  簡素な構成で実現可能な音声ミュート回路を提供する。【解決手段】  ＰＮＰトランジスターのコレクタはＤＡＣの出力線に接続され、エミッタはグランドに接続され、ベースは直列抵抗回路を介してグランドに接地されている。直列抵抗回路における中継点は電源回路の電源供給線に接続されているものの、ＤＡＣの起動時はまだ電源供給を開始されていないので、ベースはグランドレベルとなる。このとき、ＤＡＣへの電源供給が開始されてポップ音を生じる音声出力信号が生成されることになるが、このポップ音による電圧の跳ね上がりによりＰＮＰトランジスターがオンとなり、ポップ音の音声出力信号はグランドに落ちる。この後、電源回路は、前記直列抵抗回路に電源供給を開始すると、ベースへ電源供給されることになり、ＰＮＰトランジスターはオフとなり、以後、音声出力信号がグランドに落ちることはない。【選択図】  図２
2013239847.tif 000002
【特許請求の範囲】
【請求項１】
ＤＡＣを有する音声回路のための音声ミュート回路であって、
コレクタが前記ＤＡＣの出力線に接続され、エミッタがグランドに接続され、ベースが電源回路からの電源供給線が接続される電源供給端子と接続されたＰＮＰトランジスターを備え、
前記電源供給端子は、少なくとも１つの抵抗を介してグランドに接続されており、
前記電源回路は、前記ＤＡＣへの電源供給の開始後に、前記電源供給端子に電源供給を開始することを特徴とする、音声ミュート回路。
【請求項２】
前記電源回路は、
前記ＤＡＣへ電源供給する第１の電源出力線と、
前記電源供給端子へ電源供給する前記第１の電源出力線よりも出力タイミングの遅い第２の電源出力線とを含む、請求項１に記載の音声ミュート回路。
【請求項３】
前記電源回路から電源供給されるベースの電圧が、前記コレクタの電圧よりも高くしてあることを特徴とする請求項１または請求項２に記載の記載の音声ミュート回路。
【請求項４】
前記電源回路から電源供給されるベースの電圧が、２．７Ｖ以上であり、前記ＤＡＣの電源供給線は３．３Ｖ以下であることを特徴とする請求項３に記載の記載の音声ミュート回路。
【請求項５】
前記ＰＮＰトランジスターのベースは、少なくとも一つの抵抗を介して前記電源供給端子に接続されていることを特徴とする、請求項１〜請求項４のいずれかに記載の音声ミュート回路。
【請求項６】
光ディスクドライブを有し、同光ディスクドライブで再生されるデジタル音声信号をアナログ信号に変換するＤＡＣを有する光ディスク装置であって、
コレクタが前記ＤＡＣの出力線に接続され、エミッタがグランドに接続され、ベースが電源回路からの電源供給線が接続される電源供給端子と接続されたＰＮＰトランジスターを備え、
前記電源供給端子は、少なくとも１つの抵抗を介してグランドに接続されており、
前記電源回路は、前記ＤＡＣへの電源供給の開始後に、前記電源供給端子に電源供給を開始することを特徴とする、光ディスク装置。
【請求項７】
チューナーにて受信したテレビ放送信号のデジタル映像信号を復元してディスプレイに表示させると共に、テレビ放送信号に含まれるデジタル音声信号をアナログ信号に変換するＤＡＣを有するテレビであって、
コレクタが前記ＤＡＣの出力線に接続され、エミッタがグランドに接続され、ベースが電源回路からの電源供給線が接続される電源供給端子と接続されたＰＮＰトランジスターを備え、
前記電源供給端子は、少なくとも１つの抵抗を介してグランドに接続されており、
前記電源回路は、前記ＤＡＣへの電源供給の開始後に、前記電源供給端子に電源供給を開始することを特徴とする、テレビ。
【発明の詳細な説明】
【技術分野】
【０００１】
本発明は、音声ミュート回路、光ディスク装置およびテレビに関し、特に、音声回路にＤＡＣを有する音声ミュート回路、光ディスク装置およびテレビに関する。
【背景技術】
【０００２】
音声回路に利用されるＤＡＣ（Digital Analog Converter）は、電源投入時にいわゆるポップ音を発生しやすい。このため、電源投入時には音声ミュートをかける必要がある。音声ミュート回路として、特許文献１〜７に開示されるものが知られている。
特許文献１と特許文献７には、増幅回路の電源投入時におけるポップ音の発生を防止する技術が開示され、特許文献２には、駆動アンプ起動/停止時のポップノイズの発生を防止する技術が開示され、特許文献３には、電源ON/OFF時でもノイズが出力しないように動作する技術が開示されている。
【０００３】
また、特許文献４には、簡単な回路構成で電源ＯＮ／ＯＦＦ時からミュートパルスを制御信号としてこの時間に音声出力を行わない技術が開示され、特許文献５には、ディジタル回路のみでポップノイズの発生を防止し、ミュート制御信号を必要としない技術が開示されている。
なお、特許文献６には、電源オン信号をミュート用としても使用する技術が開示されている。
【先行技術文献】
【特許文献】
【０００４】
【特許文献１】特開平０９−０４６１４９号公報
【特許文献２】特開２００３−２５８５５９号公報
【特許文献３】特開平０８−１７２３２０号公報
【特許文献４】特開平１１−１６３６４８号公報
【特許文献５】特開２００６−１０９２７５号公報
【特許文献６】特開２０１１−１５１９３号公報
【特許文献７】特開２００５−０６４６５１号公報
【発明の概要】
【発明が解決しようとする課題】
【０００５】
音声ミュート回路は、一般的に、音声アンプの出力とグランド間にＮＰＮトランジスターのコレクタとエミッタを接続し、同トランジスターを導通させてミュートさせている。この場合、トランジスターを導通させるために、ベース電圧を供給するミュート信号を生成する回路を設けるか、時定数回路で起動直後の期間だけ導通させていた。
しかし、これらは、ミュート信号生成回路が必要であったり、別途、時定数回路が必要となる。
【０００６】
また、ＮＰＮトランジスターを使用しても、音声アンプの出力が負電圧となるときに、同ＮＰＮトランジスターが導通してひずみが生じることもある。
上述した特許文献は、いずれも電源投入時に発生するポップ音の防止という目的は一致するものの、上述したような付加的な構成が必要であった。
本発明は、もっとも簡素な構成で実現可能な音声ミュート回路、光ディスク装置およびテレビを提供する。
【課題を解決するための手段】
【０００７】
本発明では、ＤＡＣを有する音声回路のための音声ミュート回路であって、コレクタが前記ＤＡＣの出力線に接続され、エミッタがグランドに接続され、ベースが電源回路からの電源供給線が接続される電源供給端子と接続されたＰＮＰトランジスターを備え、前記電源供給端子は、少なくとも１つの抵抗を介してグランドに接続されており、前記電源回路は、前記ＤＡＣへの電源供給の開始後に、前記電源供給端子に電源供給を開始する構成としてある。
【０００８】
ＰＮＰトランジスターは、コレクタが前記ＤＡＣの出力線に接続され、エミッタがグランドに接続され、ベースが電源回路からの電源供給線が接続される電源供給端子と接続されている。
前記電源供給端子は、少なくとも１つの抵抗を介してグランドに接続されているが、前記電源回路は、前記ＤＡＣへの電源供給の開始後に、前記電源供給端子に電源供給を開始する。従って、ＤＡＣの起動時は同電源供給端子に電源供給が開始されていないので、同電源供給端子に接続されたベースはグランドレベルとなる。
ＤＡＣへの電源供給が開始されてポップ音を生じる音声出力信号が生成されるが、このポップ音による電圧の跳ね上がりによりＰＮＰトランジスターがオンとなり、ポップ音の音声出力信号はグランドに落ちる。この後、電源回路は、前記電源供給端子に電源供給を開始するので、ベースへ電源供給されることになり、ＰＮＰトランジスターはオフとなり、以後、音声出力信号がグランドに落ちることはない。
【発明の効果】
【０００９】
本発明によれば、ＰＮＰトランジスターと抵抗のみというもっとも簡素な構成で音声ミュート回路を提供できる。
【図面の簡単な説明】
【００１０】
【図１】音声ミュート回路を含む光ディスク装置の概略ブロック図である。
【図２】音声ミュート回路の回路図である。
【図３】電源供給回路の出力タイミングチャートである。
【図４】他の実施例にかかる音声ミュート回路を含む薄型テレビの概略ブロック図である。
【発明を実施するための形態】
【００１１】
（実施例１）
以下、図面にもとづいて本発明の実施形態を説明する。
図１は、音声ミュート回路を含む光ディスク装置の概略ブロック図である。
同図において、光ディスク装置１０は光ピックアップユニットとその駆動機構および光ディスクの駆動機構などを備え、マイコン１２による制御によって光ディスクを回転駆動しつつ光ピックアップユニットを駆動して、光ディスクに記録されたデジタル信号を再生する。マイコン１２は同光ディスクドライブ１１を制御して、光ディスクに記録されたデジタル信号を再生させ、映像信号や音声信号を出力することが可能である。映像信号は出力先に応じてデジタル信号のまま出力したり、アナログ信号に変換して出力できるよう内部にＤ／Ａコンバーターを備えている。音声信号についてはマイコン１２はデジタル信号として出力し、ＤＡＣ１３がデジタル信号をアナログ信号に変換して出力する。なお、ＤＡＣ１３にはＤ／Ａ変換の機能に加え、増幅回路を備えたものであっても良い。また、ＤＡＣ１３はマイコン１２が出力するデジタル音声信号をアナログ信号に変換して出力するものであり、これらは全体として音声回路を構成している。
【００１２】
音声ミュート回路１４はＤＡＣ１３の出力線とグランド間に介在されており、後述するように起動時に音声ミュート作用を行う。
電源回路１５は、上述した各構成部品に電源を供給する。電源供給は同時には行われず、マイコン１２による制御に基づいて電源供給開始タイミングが制御されるようになっている。むろん、マイコン１２には最初に供給し、以後、どの機器に電源供給を開始するかを同マイコン１２が制御する。本実施例では、マイコン１２による指示に基づいてタイミングを制御されているが、電源回路１５内で所定の順番を固定しても構わない。
【００１３】
図２は、音声ミュート回路の回路図である。
この音声ミュート回路１４は、ＰＮＰトランジスターＱ１を備えている。同ＰＮＰトランジスターＱ１のコレクタＣはＤＡＣ１３の出力線に接続されており、エミッタＥはグランドに接地されている。ベースＢは抵抗Ｒ１と抵抗Ｒ２とからなる直列抵抗回路Ｒを介してグランドに接地されている。直列抵抗回路Ｒにおける中継点Ｍは電源回路１５の電源供給線に接続されている。従って、同ベースＢは、一つの抵抗を介して電源回路１５からの電源供給線が接続される電源供給端子と接続されていることになる。
【００１４】
図３は、電源供給回路の出力タイミングチャートである。
電源回路１５は、マイコン１２による指示に従って、各機器に対して供給する電源供給タイミングを制御されている。同図に示すように、ＤＡＣ１３に対しては時刻ｔ０から＋３．３Ｖの電源供給を開始し、その後、時刻ｔ１から音声ミュート回路１４に対して＋５Ｖの電源供給を開始する。すなわち、電源回路１５はＤＡＣ１３への電源供給の開始後に、音声ミュート回路１４における直列抵抗回路Ｒに電源供給を開始する。
【００１５】
前記構成における、起動時の音声ミュート動作について説明する。
本光ディスク装置が起動されると電源回路１５は最初にマイコン１２に電源供給を開始する。その後、マイコン１２による指示に従い、時刻ｔ０に、電源回路１５はＤＡＣ１３へ電源供給を開始する。時刻ｔ０におけるＤＡＣ１３の起動時は、音声ミュート回路１４の直列抵抗回路Ｒにはまだ電源供給が開始されていない。このため、ベースＢはグランドレベルとなる。
【００１６】
時刻ｔ０においてＤＡＣ１３への電源供給が開始されると、ＤＡＣ１３は起動直後にポップ音を生じる音声出力信号を生成してしまう。同音声信号の電圧は比較的大きなものとなるため、このポップ音によって出力線の電圧が跳ね上がる。すると、ＰＮＰトランジスターＱ１のエミッタＥとベースＢがグランド電位となりつつ、コレクタＣが正電位となるので、ＰＮＰトランジスターＱ１はオンとなり、ポップ音の音声出力信号はグランドに落ちる。すなわち、音声出力端子に出力されず、音声ミュートされたことになるので、耳障りなポップ音は聞こえない。
【００１７】
その後、時刻ｔ１となると、電源回路１５は、直列抵抗回路Ｒの中継点Ｍに電源供給を開始する。すると、ＰＮＰトランジスターＱ１のベースＢが抵抗Ｒ１，Ｒ２によって正電位へ引き上げられ、本ＰＮＰトランジスターＱ１はオフとなる。このため、以後、音声出力信号がグランドに落ちることはない。言い換えると、起動直後のポップ音はミュートされるものの、以後の音声出力は正常に音声出力端子へと出力される。
【００１８】
一方、電源回路１５は、ＤＡＣ１３には時刻ｔ０より３．３Ｖを出力し、前記中継点Ｍに対しては５Ｖを出力している。中継点Ｍに対しては５Ｖを出力すると、ＰＮＰトランジスターＱ１のベースは概ね２．７Ｖとなった。一方、ＤＡＣ１３の最大出力電圧は十分に２．７Ｖよりも低くなった。言い換えると、電源回路１５から電源供給されるベースＢの電圧は、コレクタＣの電圧よりも高くなるように設定している。この結果、コレクタＣの電位が最大となってもベースＢよりも低い値に維持されるので、信号再生途中でＰＮＰトランジスターＱ１がオンとなってしまうことはない。
【００１９】
（実施例２）
図４は、音声ミュート回路を含む薄型テレビの概略ブロック図である。
同図において、テレビ２０のチューナー２１はアンテナを介してテレビ放送信号を受信する。１チップマイコン２２は、チューナー２１を制御して所望のチャンネルのテレビ放送信号を受信させ、デジタル信号の再生信号を復元する。再生信号のうち、デジタル映像信号はドライバー回路２３に入力され、同ドライバー回路２３はデジタル映像信号に対応した映像を表示するように液晶ディスプレイ２４を駆動する。
【００２０】
一方、再生信号のうち、デジタル音声信号はデジタル信号としてＤＡＣ２５に出力され、このＤＡＣ２５がデジタル信号をアナログ信号に変換して出力する。なお、ＤＡＣ２５はＤ／Ａ変換の機能に加えて増幅回路も備えており、接続されているスピーカ２６を介して音声として出力させている。この場合も、ＤＡＣ２５は１チップマイコン２２が出力するデジタル音声信号をアナログ信号に変換して出力するものであり、これらは全体として音声回路を構成している。
また、音声ミュート回路２７はＤＡＣ２５の出力線とグランド間に介在されており、後述するように起動時に音声ミュート作用を行う。
【００２１】
電源回路２８は、複数の電源出力線を備えており、それぞれの電源出力線によって上述した各構成部品に電源を供給する。上述したドライバー回路２３と液晶ディスプレイ２４には電源供給の順序が規定されており、この順序に対応するように電源回路２８の電源出力線は各機器に対する電源供給開始タイミングが異なるようにしてある。本実施例では、ＤＡＣ２５に対する出力開始タイミングが図３に示す時刻ｔ０であり、音声ミュート回路２７に対しては時刻ｔ１が出力開始タイミングとなる電源出力線を選択して供給している。この場合、上述したようにＰＮＰトランジスターＱ１のベース電圧がコレクタ電圧よりもわずかだけ高くなるように分圧回路を設計しておく。すなわち、電源回路２８は、複数の電源出力線を有しており、ＤＡＣ２５への電源出力線以外のものであって、当該電源出力線への出力タイミングが遅い電源出力線を直列抵抗回路Ｍに接続している。
【００２２】
本実施例では、１チップマイコン２２に電源回路２８における出力開始タイミングを制御していないが、電源回路２８は元々電源供給開始タイミングの異なる複数の電源出力を有しているので、タイミングの異なる複数の電源出力線のうち、一つをＤＡＣ２５に供給し、所定タイミングだけ遅くオンとなる他の電源出力を分圧回路を介して音声ミュート回路２７における中継点Ｍに接続している。
【００２３】
このように構成した場合も、テレビ２０が起動されてＤＡＣ２５への電源供給が開始されると、ＤＡＣ２５は起動直後にポップ音を生じる音声出力信号を生成してしまう。同音声信号の電圧は比較的大きなものとなるため、このポップ音によって出力線の電圧が跳ね上がる。すると、ＰＮＰトランジスターＱ１のエミッタＥとベースＢがグランド電位となりつつ、コレクタＣが正電位となるので、ＰＮＰトランジスターＱ１はオンとなり、ポップ音の音声出力信号はグランドに落ちる。すなわち、音声出力端子に出力されず、音声ミュートされたことになるので、耳障りなポップ音は聞こえない。
【００２４】
その後、所定の時間を経て電源回路２８の他の電源出力線が直列抵抗回路Ｒの中継点Ｍに電源供給を開始する。すると、ＰＮＰトランジスターＱ１のベースＢが抵抗Ｒ１，Ｒ２によって正電位へ引き上げられる、本ＰＮＰトランジスターＱ１はオフとなる。このため、以後、音声出力信号がグランドに落ちることはない。言い換えると、起動直後のポップ音はミュートされるものの、以後の音声出力は正常に音声出力端子へと出力される。
【００２５】
このように、ＰＮＰトランジスターのコレクタはＤＡＣの出力線に接続され、エミッタはグランドに接続され、ベースは直列抵抗回路を介してグランドに接地されている。直列抵抗回路における中継点は電源回路の電源供給線に接続されているものの、ＤＡＣの起動時はまだ電源供給を開始されていないので、ベースはグランドレベルとなる。このとき、ＤＡＣへの電源供給が開始されてポップ音を生じる音声出力信号が生成されることになるが、このポップ音による電圧の跳ね上がりによりＰＮＰトランジスターがオンとなり、ポップ音の音声出力信号はグランドに落ちる。この後、電源回路は、前記直列抵抗回路に電源供給を開始すると、ベースへ電源供給されることになり、ＰＮＰトランジスターはオフとなり、以後、音声出力信号がグランドに落ちることはない。
【００２６】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００２７】
Ｑ１…ＰＮＰトランジスター、Ｃ…コレクタ、Ｅ…エミッタ、Ｂ…ベース、１０…光ディスク装置、１１…光ディスクドライブ、１２…マイコン、１３…ＤＡＣ、１４…音声ミュート回路、１５…電源回路、２０…テレビ、２１…チューナー、２２…１チップマイコン、２３…ドライバー回路、２４…液晶ディスプレイ、２５…ＤＡＣ、２６…スピーカ、２７…音声ミュート回路、２８…電源回路。
【図１】
2013239847.tif 000003
【図２】
2013239847.tif 000004
【図３】
2013239847.tif 000005
【図４】
2013239847.tif 000006